(57)【要約】【課題】構造が簡単で施工が容易であり、しかも安価に製作できる採光屋根を提供する。【解決手段】開放面を有する屋根支持体２に金属板からなる屋根材を葺成し、該屋根材に採光機構を設ける。屋根材は採光用の多数の孔が穿設された有孔屋根材４とし、この有孔屋根材４上に透明パネル６を載置する。有孔屋根材４に押さえ金物８を取り付け、この押さえ金物８の押さえ部を透明パネル６と係合し、透明パネル６の、有孔屋根材４から浮上する方向の移動を係止する。屋根支持体２は、複数の長尺状の鋼材により構成し、有孔屋根材４は、複数の互いに並列状に配置された長尺状の有孔金属板により構成し、各有孔金属板の隣接する側部を結合する。【選択図】  図１
2006144318.tif 000002
【特許請求の範囲】
【請求項１】
開放面を有する屋根支持体に金属板からなる屋根材を葺成し、該屋根材に採光機構を設けた採光屋根であって、前記採光機構を、前記屋根材に穿設した採光用の多数の孔と、前記屋根材上に載置された透明パネルと、前記透明パネルと係合し前記透明パネルの前記屋根材から浮上する方向の移動を係止する前記屋根材に取り付けられた押さえ金物とより構成したことを特徴とする採光屋根。
【請求項２】
前記屋根支持体を複数の長尺状の鋼材により構成したことを特徴とする請求項１に記載の採光屋根。
【請求項３】
前記屋根材は、複数の互いに並列状に配置された長尺状の有孔金属板からなり、各有孔金属板の隣接する側部が結合されていることを特徴とする請求項１に記載の採光屋根。
【請求項４】
前記透明パネルが、薄板状の透明な太陽電池モジュールパネルからなり、前記屋根材は、複数の互いに並列状に配置され互いに隣接する側部が結合された長尺状の有孔金属板からなり、各有孔金属板の両側部に段部を形成し、該段部間に前記太陽電池モジュールパネルを載置し、該太陽電池モジュールパネルの下面と前記有孔金属板の上面との間に所定の間隔の隙間を形成したことを特徴とする請求項１に記載の採光屋根。
【請求項５】
前記屋根材は、複数の互いに並列状に配置した長尺状の有孔金属板からなり、各有孔金属板の両側部に立ち上がり部を形成し、各有孔金属板の隣接する側部の前記立ち上がり部を結合し、該結合した前記立ち上がり部に前記押さえ金物を取り付けたことを特徴とする請求項１に記載の採光屋根。
【請求項６】
前記押さえ金物は、前記有孔屋根材の立ち上がり部に当接される板状の取付部と該取付部に対して直角な板状の押さえ部とを有する断面Ｌ字状の金属板により構成し、前記押さえ金物の前記取付部を止め付け具により前記立ち上がり部に固定し、前記押さえ部を前記透明パネルに当接したことを特徴とする請求項５に記載の採光屋根。
【請求項７】
前記押さえ金物は、前記有孔屋根材の立ち上がり部に嵌合される凹入部と該凹入部に対して直角な板状の押さえ部とを有する金属板により構成し、前記押さえ金物の前記凹入部を前記立ち上がり部に嵌合し該凹入部を止め付け具により前記立ち上がり部に固定し、前記押さえ部を前記透明パネルに当接したことを特徴とする請求項５に記載の採光屋根。
【発明の詳細な説明】
【技術分野】
【０００１】
本発明は、太陽の光を室内に採り入れることができるようにした採光屋根に関する。
【背景技術】
【０００２】
屋内に太陽の光を採り入れることができる採光屋根は、従来、種々の構成のものが開発されている。この種の採光屋根としては、採光可能な素材よりなる所定幅の採光材が屋根の折曲方向に所定の間隔をおいて形成されている二枚の波形の屋根板をその採光材が互いに直交するように葺成したものが知られている。（例えば特許文献１参照）。また、透光部を有する太陽電池モジュールを用いた採光屋根が従来知られている（例えば特許文献２参照）。
【特許文献１】特開平９−３０２８５２号公報
【特許文献２】特開平２００１−２９８２０５号公報
【発明の開示】
【発明が解決しようとする課題】
【０００３】
従来の採光屋根はいずれも、屋根に透明部を形成する機構が複雑であり、施工が容易でなく、また、コスト高となるという問題点がある。
本発明は、構造が簡単で安価に製作できる採光屋根を提供することを目的とするものである。
【課題を解決するための手段】
【０００４】
上記目的を達成するため本発明は、開放面を有する屋根支持体に金属板からなる屋根材を葺成し、該屋根材に採光機構を設けた採光屋根であって、前記採光機構を、前記屋根材に穿設した採光用の多数の孔と、前記屋根材上に載置された透明パネルと、前記透明パネルと係合し前記透明パネルの前記屋根材から浮上する方向の移動を係止する前記屋根材に取り付けられた押さえ金物とより構成したものである。
また本発明は、前記屋根支持体を長尺状の鋼材により構成したものである。
また本発明は、前記屋根材は、複数の互いに並列状に配置された長尺状の有孔金属板からなり、各有孔金属板の隣接する側部が結合されていることを特徴とするものである。
また本発明は、前記透明パネルが、薄板状の透明な太陽電池モジュールパネルからなり、前記屋根材は、複数の互いに並列状に配置され互いに隣接する側部が結合された長尺状の有孔金属板からなり、各有孔金属板の両側部に段部を形成し、該段部間に前記太陽電池モジュールパネルを載置し、該太陽電池モジュールパネルの下面と前記有孔金属板の上面との間に所定の間隔の隙間を形成したものである。
また本発明は、前記屋根材は、複数の互いに並列状に配置した長尺状の有孔金属板からなり、各有孔金属板の両側部に立ち上がり部を形成し、各有孔金属板の隣接する側部の前記立ち上がり部を結合し、該結合した前記立ち上がり部に前記押さえ金物を取り付けたことを特徴とする。
また本発明は、前記押さえ金物は、前記有孔屋根材の立ち上がり部に当接される板状の取付部と該取付部に対して直角な板状の押さえ部とを有する断面Ｌ字状の金属板により構成し、前記押さえ金物の前記取付部を止め付け具により前記立ち上がり部に固定し、前記押さえ部を前記透明パネルに当接したことを特徴とする。
また本発明は、前記押さえ金物は、前記有孔屋根材の立ち上がり部に嵌合される凹入部と該凹入部に対して直角な板状の押さえ部とを有する金属板により構成し、前記押さえ金物の前記凹入部を前記立ち上がり部に嵌合し該凹入部を止め付け具により前記立ち上がり部に固定し、前記押さえ部を前記透明パネルに当接したことを特徴とものである。
【発明の効果】
【０００５】
本発明は構造が簡単なため、施工が容易であり、しかも低コストで製作が可能である。
【発明を実施するための最良の形態】
【０００６】
以下に本発明の実施の形態を添付した図面を参照して詳細に説明する。
図１において、符号２は、建物の母屋などの屋根支持体であり、Ｃ型鋼などの鋼材により構成され、鋼材間は空間を介して配置され、屋根支持体２の屋根支持面は垂直方向に開放された空間部を有している。前記屋根支持体２の支持面には、長尺状の金属板からなる有孔屋根材４が複数並列に配置され、各有孔屋根材４の平板部４ａは、ビス６によって前記屋根支持体２に固定されている。
【０００７】
前記屋根支持体２上の各有孔屋根材４の両側部には、平板部４ａに対して垂直に、立ち上がり部４ｂ，４ｃが形成され、該立ち上がり部４ｂ，４ｃの下部には、前記平板部４ａの両側に位置して、段部４ｄ，４ｄが一体的に形成されている。前記有孔屋根４の一方の立ち上がり部４ｂの上部は、外側に９０度屈折された帯状の上位水平部ａと垂下部ｂが形成され、他方の立ち上がり部４ｃの上部は、内側に９０度屈折された帯状の上位水平部ｃと垂下部ｄが形成されている。
【０００８】
屋根支持体２の開放された支持面に展開配置され、互いに隣接する一対の有孔屋根材４，４は、立ち上がり部４ｂ，４ｃどうしが対接し、また、上位水平部ａ，ｃと垂下部ｄ，ｂどうしが互いに重ね合わされて嵌合している。各有孔屋根材４の上には、薄板状の透明型太陽電池モジュールパネルからなる透明パネル６が配置され、該透明パネル８の両側部は、有孔屋根材４の段部４ｄ，４ｄに載置されている。
【０００９】
前記段部４ｄ，４ｄにより、透明パネル６の下面と有孔屋根材４の平板部４ａとの間に、所定の隙間が形成され、この隙間に太陽電池モジュールパネル下面の配線箱やコード類を収納できるようになっている。８は、長尺状の断面Ｌ型の板部材からなる押さえ金物であり、帯板状の押さえ部８ａと、これに対して直角の取付部８ｂを備えている。
【００１０】
前記押さえ金物８は、有孔屋根材４の互いに接合する立ち上がり部４ｂ，４ｃの両側に配置され、その押さえ部８ａと段部４ｄとの間に、前記透明パネル６を挟持した状態で、ボルト１０とナットにより、取付部８ｂが、隣接する有孔屋根材４，４の互いに接合する立ち上がり部４ｂ，４ｃに固定されている。上記透明パネル６は、その浮上方向の移動が押さえ金物８によって係止され、水平方向の移動が有孔屋根材４の立ち上がり部４ｂ，４ｃによって係止されている。
【００１１】
上記実施形態では、有孔屋根材４をそれぞれ、ビス６によって、屋根支持体２に固定したが、図３に示すように、通し吊り子１２を互いに隣接する有孔屋根材４，４の立ち上がり部４ｂと４ｃとの間に配置し、通し吊り子１２の下位水平部１２ａをビス１４によって屋根支持体２に固定し、通し吊り子１２の上位水平部１２ｂに、有孔屋根材４の互いに接合する立ち上がり部４ｂ，４ｃの上部をかしめ、該上部を通し吊り子１２に固着するはぜ締め構造とし、隣接する有孔屋根材４を通し吊り子１２を介して、屋根支持体２に固定するようにしても良い。
【００１２】
次に本発明の他の実施形態を図４及び図５を参照して説明する。
１６は、平板部１６ａの両側部に下向きに突出する段部１６ｄ，１６ｄを有する有孔屋根材であり、屋根支持体２上に複数並列状に配置され、各有孔屋根材１６の立ち上がり部１６ｂ，１６ｃはぜ締め構造により、通し吊り子１２を介して屋根支持体２に固着されている。
【００１３】
前記段部１６ｄ，１６ｄは、雨水の流れる方向と平行に配置され、透明パネル１９の下側に浸入した雨水をここで受けることができるようになっている。前記有孔屋根材１６の平板部１６ａ上には、ガラスからなる透明パネル１９が密着載置されている。１８は長尺状の押さえ金物であり、コ字状の下部が開放された凹入部１８ａと凹入部１８ａの下部開口部の両側に直角に形成された押さえ部１８ｂ，１８ｃを備えている。
【００１４】
前記押さえ部１８ｂ，１８ｃの下面には、ゴム材などの止水材２０が固着されている。前記押さえ金物１８の凹入部１８ａは、互いに隣接する有孔屋根材１６，１６のはぜ締め部に嵌合し、ボルト２２とナットにより、はぜ締め部に固定されている。この状態で、押さえ部１８ｂ，１８ｃが、はぜ締め部の両側の、透明パネル１９，１９に止水材２０を介して圧接し、該透明パネル１９，１９の浮上方向の移動を係止している。
【００１５】
透明パネル１９の水平方向の移動は、有孔屋根材１６の立ち上がり部１６ｂ，１６ｃによって係止されている。
尚、前記押さえ金物１８は、長尺状のものに特に限定されるものではない。図６は短尺状の押さえ金物２４を使用した実施形態を示している。図６の他の構成は、図４に示す実施形態の構成と同一である。
【００１６】
次に図７及び図８を参照して他の実施形態について説明する。
各有孔屋根材１６の各段部１６ｄの側部に、その全長にわたって雨水の浸入を阻止するゴム体などからなる長尺状の止水材２６を固着し、押さえ金物１８の左右の押さえ部の下面にも、有孔屋根材１６の全長にわたって長尺状のゴム体からなる止水材２８を固着し、透明パネル１９の下面に雨水が浸入しないようにしている。
【００１７】
段部１６ｄは、万一、雨水が浸入した場合に、雨水を受けるためのものである。押さえ金具１８の押さえ部と透明パネル１９との間の隙間にはコーキング３０が詰められ、防水処理が施されている。ガスケット３２は、透明パネル１９を結合するためのものであり、両側に嵌合凹部３０ａ，３０ｂが形成され、隣接する一対の透明パネル１９の各縁部が、これらの嵌合凹部３０ａ，３０ｂに嵌合し、これによって、互いに結合している。他の構成は、図４，５に示す実施形態と同一であり、その説明を省略する。
【図面の簡単な説明】
【００１８】
【図１】本発明の一実施形態である採光屋根の分解斜視図である。
【図２】本発明の一実施形態である採光屋根の斜視図である。
【図３】本発明の他の実施形態を示す分解斜視図である。
【図４】本発明の他の実施形態を示す分解斜視図である。
【図５】本発明の他の実施形態を示す斜視図である。
【図６】本発明の他の実施形態を示す斜視図である。
【図７】本発明の他の実施形態を示す分解斜視図である。
【図８】本発明の他の実施形態を示す斜視図である。
【符号の説明】
【００１９】
２      屋根支持体
４      有孔屋根材
６      透明パネル
８      押さえ金物
１０    ボルト
１２    通し吊り子
１４    ビス
１６    有孔屋根材
１８    押さえ金物
１９    透明パネル
２０    止水材
２２    ボルト
２４    押さえ金物
２６    止水材
２８    止水材
３０    コーキング
３２    ガスケット
【図１】
2006144318.tif 000003
【図２】
2006144318.tif 000004
【図３】
2006144318.tif 000005
【図４】
2006144318.tif 000006
【図５】
2006144318.tif 000007
【図６】
2006144318.tif 000008
【図７】
2006144318.tif 000009
【図８】
2006144318.tif 000010